【事件の表示】
　特許第３０５４７１４号「パチンコ機」の請求項１ないし４に係る特許に対する特許異議の申立てについて、次のとおり決定する。
【結　論】
　特許第３０５４７１４号の請求項１ないし４に係る特許を維持する。
【理　由】
１．本件発明
　特許第３０５４７１４号（平成２年９月２９日出願、平成１２年４月１４日設定登録。）の請求項１ないし請求項４に係る発明は、それぞれ、その特許請求の範囲の請求項１ないし請求項４に記載された事項により特定されるとおりのものである。
２．特許異議申立ての理由の概要
　特許異議申立人細江裕実は、甲第１号証（特願平２−１５８７６５号（特開平４−５１９８３号）の公開公報）、甲第２号証（特開平１−１３６６８１号公報）、甲第３号証（特開平２−１１１８７号公報）、甲第４号証（特開平２−２０９１７５号公報）、甲第５号証（特開昭５３−６８９１９号公報）、甲第６号証（特開昭６０−１１９９７７号公報）、甲第７号証（特開平１−２８８２８９号公報）、甲第８号証（特開昭６３−１２２４８２号公報）、甲第９号証（特開平１−２２３９８４号公報）、甲第１０号証（特開昭５５−１９１２９号公報）、甲第１１号証（特開平２−２３４７８３号公報）および甲第１２号証（実願昭５４−１４６７０３号（実開昭５６−６３４８２号公報）のマイクロフィルム）を提示して、本件請求項１および請求項２に係る発明は、その出願前の出願であって、その出願後に公開された上記特願平２−１５８７６５号の願書に最初に添付した明細書又は図面（甲第１号証）に記載された発明に甲第２号証ないし甲第７号証に記載された周知技術を適用したものであり、甲第１号証に記載された発明と実質的に同一であり、本件請求項３に係る発明は、甲第１号証に記載された発明に甲第２号証ないし甲第９号証に記載された周知技術を適用したものであり、甲第１号証に記載された発明と実質的に同一であり、本件請求項４に係る発明は、甲第１号証に記載された発明に甲第２号証ないし甲７号証および甲第１０号証ないし甲第１２号証に記載された周知技術を適用したものであり、甲第１号証に記載された発明と実質的に同一であり、しかも、請求項１ないし請求項４に係る発明の発明者が甲第１号証に記載された発明の発明者と同一であるとも、本件出願の時において、その出願人が上記他の出願の出願人と同一であるとも認められないので、請求項１ないし請求項４に係る発明の特許は、特許法第２９条の２第１項の規定に違反するので、取り消されるべきものである旨主張している。
３．甲各号証記載の発明
　甲第１号証には、「遊技盤４は係止部１６ａ、１６ｂによって前面枠２の裏機構盤１２内に係止されるものとし、」（第３頁左下欄４行〜同欄６行）と記載され、「玉貸機構部６内の玉貸制御手段たる玉貸制御装置１０６には、カード挿排口７より挿入されたぷりぺードカードに書き込まれているデータを読み出したり、当該データを書き変えたりできるカード読出し・書換え手段たるカードリードライタ１０７を備え、該カードリードライタ１０７はプリペードカードより読み出した「セキュリテイ情報」、「通し番号」、「貸玉残情報」等の玉貸データを玉貸制御部１０８へ供給する」（第１１頁左下欄１６行〜同頁右下欄４行）と記載され、「役物制御部１１１が所定の遊技機器制御データに基づいて各種電気的遊技機器の動作制御を行うと共に、動作制御の結果として各種センサより得られた各種のデータを適宜に処理する。そして、セーフセンサ２９ａ、２９ｂが検出したセーフ信号に基づいて役物制御部１１１は球排出装置制御手段たる球排出装置制御部１１２へ排出制御信号を送信し、該排出制御信号に基づいて球排出装置制御部１１２が賞球排出装置２５に賞球排出動作を行わせるのである。」（第１２頁左下欄６行〜同欄１５行）と記載されている。
　甲第２号証には、「第３図は操作パネル３の概要を示す図である。同図において、操作パネル３の上部左方には、表示灯ａを内蔵した度数選択スイッチＡ（１度数）、表示灯ｂを内蔵した度数選択スイッチＢ（２度数）、・・・・が設けられられている。なお、これらの度数選択スイッチはパチンコ玉の貸出し数を選択するためのスイッチであるが、この実施例では度数を媒介変数としてパチンコ玉の貸出しを行っており、」（第２頁右上欄１３行〜同頁左下欄４行）と記載されている。
　甲第３号証には、「購入スイッチ１１３は、カード挿排口１１６へのカードの挿入を前提としてカードの有する金額の範囲内で、・・・変換された遊技球が持玉数となる。」（第９頁左上欄１５行〜同欄２０行）と記載されている。
　甲第４号証には、「購入スイッチ１１３は、制御ユニット１６０に内蔵されたカードリーダー８００へのカード挿入を前提としてカードの有する金額の範囲内で、・・・変換された遊技球が持玉数となる。」（第４頁右上欄１１行〜同欄１６行）と記載されている。
　甲第５号証には、「漢字デイスプレイ制御装置（以下単に制御装置という）ＭＣは計算機ＣＯＭ又は回線を介して第２図に示すフォーマットで伝送されてきた文字コード情報等を一旦図示しないコードメモリに記憶し、次いで順次キャラクタジェネレータＣＧより文字コードに対応した文字パターンを読出す。」（第２頁左上欄１８行〜同頁右上欄３行）と記載されている。
　甲第６号証には、「そうして、ゲームを始めるため、子供電子ゲーム装置６のキー７を操作すると、サブＣＰＵ１６は、このキー操作を検出して、第２図の制御信号ラインを介して第１３図に示すように、インタラプト信号ＩＮＴを親電子ゲーム装置１のメインＣＰＵ１４に与えて、割り込み処理を指令する。これにより、メインＣＰＵ１４はサブＣＰＵ１６に選択信号ＣＥを与えてバスラインａ、Ｄ、Ａが開かれるとともに、命令コード転送信号ＯＰもサブＣＰＵ１６に与え、これによりキー入力があったことを示すキー入力命令がバスラインａ、Ｄ、Ａを介して転送出力され、この命令コードがメインＣＰＵ１４に書き込まれる。」（第６頁左下欄１１行〜同頁右下欄３行）と記載されている。
　甲第７号証には、「交信されるデータやコマンドは、第６図に示した基本フォーマットにしたがって構成される。すなわち、スタートコード（ＳＴＸ）−アドレスコード（ＡＤＲ）−コマンドネーム（ＣＭＤ）−テキスト（ＴＸＴ）−チェックサム（ＣＨＳ）−エンコーダ（ＥＸＴ）をシリアルに連続させたものである。」（第５頁右下欄５行〜同欄１１行）と記載されいる。
　甲第８号証には、「第１３図に示す第３の実施例は、パチンコ機１の前面枠８の表面左側に球貸機能部２を配設したものであり、球排出装置５は、各パチンコ機１後方のパチンコ機列４の内部に設置されている。この様に、球貸機能部２をパチンコ機１自体に設けると、パチンコ機１とパチンコ機１との間の間隔を従来よりも縮小することができるので、パチンコ店のスペースを有効に利用することができる。」（第４頁右下欄１４行〜第５頁２行）と記載されている。
　甲第９号証には、「前面枠１２には遊技盤取付枠９６が設けられており、この遊技盤取付枠９６に対し、遊技盤３４が遊技盤固定部材９８により着脱自在に取付けられている。」（第４頁右下欄１３行〜同欄１６行）と記載され、「遊技盤裏面にはさらに制御基盤ボックス８６が取付けられており、前記各入賞玉検出器からの信号を受けて、前記大当り制御等の遊技制御を行なうよう構成されている。前面枠１２の裏面側にはカード処理装置８８が設けられており、」（第６頁左上欄１５行〜同欄２０行）と記載されている。
　甲第１０号証には、「各パチンコゲーム機・・・は、賞球１０個毎に１個のパルスを発生する賞球計算用の出力端子Ａ・・・を夫々備えている。」（第２頁左上欄１８行〜同頁右上欄２行）と記載されている。
　甲第１１号証には、「パチンコ台１には、・・・セーフ球数に比例した数の計数パルスＰ２を出力するセーフ玉計数器２４が夫々設けられており、」（第４頁右上欄６行〜同欄１０行）と記載されている。
　甲第１２号証には、「本考案によれば、例えばオール１０に設定されている場合は入力信号数ｎ個に対しｎ個のパルス信号を出力し、例えばオール１４に設定されている場合は入力信号ｎ個に対して１．４個のパルス信号を出力し、もし小数点以下の端数が生じた場合はその端数を累計記憶しておき、１以上になったときに１個のパルス信号を出力する。」（第２頁１８行〜第３頁４行）と記載されている。　
（対比・判断）
　請求項１に係る発明（前者）と、その出願前の出願であって、その出願後に公開された上記特願平２−１５８７６５号の願書に最初に添付した明細書又は図面（甲第１号証、以下、「先願明細書」という。）に記載された発明（後者）とを対比すると、後者の「カードリードライタ１０７」、「玉貸制御装置１０６」、「役物制御部１１１」、「第１〜第３選択スイッチ」、「セーフセンサ２９ａ、２９ｂ」および「賞球排出装置２５」は、前者の「カードリードライタ」、「カードリードライタ制御回路」、「遊技制御回路」、「球貸釦」、「入賞口センサー」および「賞品球排出装置」に相当することから、両者は、「カードリードライタを備えるカードリードライタ制御回路を備え、遊技盤が前面枠側と分離可能なパチンコ機において、前記カードリードライタ制御回路に電気的に接続した球貸釦をパチンコ機に設け、前記遊技盤の各入賞口にそれぞれ対応する入賞口センサーを設けると共に、各入賞口センサーの出力信号の記憶数に基づく賞品球数を設定する遊技制御回路を設け、貸玉球または賞品球を排出する賞品球排出装置をパチンコ機背面側に設け、前記遊技回路は前記入賞口の賞品球を表す旨の信号を送信しするパチンコ機。」の構成において一致するが、
　後者は、前者の「カードリードライタを備えるカードリードライタ制御回路と交信可能に接続される本体制御回路を備え、前記本体制御回路と、前記本体制御回路に制御され、貸玉球または賞品球を排出する排出装置とをパチンコ機背面側に設け、前記遊技制御回路は前記入賞口の賞品球数を表す旨の信号および、該信号を送信する旨の信号を前記本体制御回路に送信し、前記本体制御回路は前記両信号に基づき賞品球の排出を行い、かつ、賞品球排出の処理中を示すビジー信号を前記カードリードライタ制御回路に送信するようにした」の構成を備えていない。
　さらに検討すると、甲第２号証ないし甲第１２号証においても、前記構成の記載がなく、かつ、該構成を示唆する記載もない。　
　したがって、たとえ、甲第１号証に記載された発明に甲第２号証ないし甲第１２号証に記載の周知技術を適用したとしても、請求項１に係る発明は、先願明細書に記載された発明と同一ではないものと認める。なお、請求項２ないし請求項４に係る発明は、請求項１に係る発明を技術的に限定したものであるので、請求項１に係る発明の対比・判断で示した理由と同じ理由により、先願明細書に記載された発明と同一ではないものと認める。
４．むすび
　以上のとおりであるから、特許異議申立ての理由によっては、本件請求項１ないし請求項４に係る発明の特許を取り消すことはできない。
　また、他に本件請求項１ないし請求項４に係る発明についての特許を取り消すべき理由を発見しない。
　したがって、本件請求項１ないし請求項４に係る発明についての特許は拒絶の査定をしなければならない特許出願に対してされたものとは認めない。
　よって、特許法等の一部を改正する法律（平成６年法律第１１６号）附則第１４条の規定に基づく、特許法等の一部を改正する法律の施行に伴う経過装置を定める政令（平成７年政令２０５号）第４条第２項の規定により、結論のとおり決定する。
【異議決定日】
平成１３年６月１８日（２００１．６．１８）